(57)【特許請求の範囲】
【請求項１】
リソース構成方法であって、
端末デバイスによって、物理ランダムアクセスチャネル（ＰＲＡＣＨ）構成情報を取得するステップであって、前記ＰＲＡＣＨ構成情報は、少なくともプリアンブルフォーマットを含み、ランダムアクセスリソースは、ランダムアクセスチャネル機会（ＲＡＣＨ機会）であり、異なる数量のＲＡＣＨ機会が、同じ時間単位かつ異なる周波数に対応する無線リソースに割り当てられることができ、前記無線リソースに割り当てられるＲＡＣＨ機会の数量は、対応するプリアンブルフォーマットに基づいて決定される、ステップと、
前記端末デバイスによって、前記ＰＲＡＣＨ構成情報に基づいてネットワークデバイスにアクセスするステップと、
を含む、方法。
【請求項２】
前記ＰＲＡＣＨ構成情報は、次の情報、即ち、ランダムアクセスリソースのシステムフレーム番号（ＳＦＮ）、ランダムアクセスリソースのサブフレーム番号、ランダムアクセスリソースについての開始直交周波数分割多重（ＯＦＤＭ）シンボル、ランダムアクセスプリアンブルグルーピング情報、サブキャリア間隔、ランダムアクセスリソースが配置される周波数の開始位置、及びタイミングアドバンス（ＴＡ）のうちの１つ以上をさらに含む、
請求項１に記載の方法。
【請求項３】
前記ＰＲＡＣＨ構成情報は、ダウンリンク信号に関連付けられたランダムアクセスリソースの数量、又は、ダウンリンク信号に関連付けられたランダムアクセスリソースのインデックスをさらに含み、
前記ダウンリンク信号は、同期信号／物理報知チャネル（ＳＳ／ＰＢＣＨ）、又は前記ネットワークデバイスから受信されるチャネル状態情報−参照信号（ＣＳＩ−ＲＳ）である、
請求項１に記載の方法。
【請求項４】
前記端末デバイスによって、前記ＰＲＡＣＨ構成情報に基づいて、ダウンリンク信号に関連付けられた前記ランダムアクセスリソースの時間期間ＴRAを決定するステップであって、ＴRAの値は、５ミリ秒（ｍｓ）の２n倍であり、ｎは、０と９との間の整数である、
請求項１〜３のいずれか１項に記載の方法。
【請求項５】
前記時間期間ＴRAの前記値は、複数の候補値のうちの１つであり、前記複数の候補値は、次のもの、即ち、１０ｍｓ、２０ｍｓ、４０ｍｓ、８０ｍｓ、１６０ｍｓ、３２０ｍｓ、６４０ｍｓのうちの１つ以上を含む、
請求項４に記載の方法。
【請求項６】
前記ランダムアクセスリソースが配置されるシステムフレーム番号（ＳＦＮ）は、次の式、即ち、
Ｍｏｄ（ＳＦＮ，２）＝０、Ｍｏｄ（ＳＦＮ，２）＝１、
Ｍｏｄ（ＳＦＮ，４）＝０、Ｍｏｄ（ＳＦＮ，４）＝１、Ｍｏｄ（ＳＦＮ，４）＝２、Ｍｏｄ（ＳＦＮ，４）＝３、
Ｍｏｄ（ＳＦＮ，８）＝０、Ｍｏｄ（ＳＦＮ，８）＝１、Ｍｏｄ（ＳＦＮ，８）＝２、Ｍｏｄ（ＳＦＮ，８）＝３、Ｍｏｄ（ＳＦＮ，８）＝４、Ｍｏｄ（ＳＦＮ，８）＝５、Ｍｏｄ（ＳＦＮ，８）＝６、Ｍｏｄ（ＳＦＮ，８）＝７、
Ｍｏｄ（ＳＦＮ，１６）＝０、Ｍｏｄ（ＳＦＮ，１６）＝１、Ｍｏｄ（ＳＦＮ，１６）＝２、Ｍｏｄ（ＳＦＮ，１６）＝３、Ｍｏｄ（ＳＦＮ，１６）＝４、Ｍｏｄ（ＳＦＮ，１６）＝５、Ｍｏｄ（ＳＦＮ，１６）＝６、Ｍｏｄ（ＳＦＮ，１６）＝７、
のうちの少なくとも１つを満たし、Ｍｏｄは、モジュロ演算である、
請求項１〜５のいずれか１項に記載の方法。
【請求項７】
前記ランダムアクセスリソースの開始位置が配置されるシステムフレーム番号（ＳＦＮ）は、次の式、即ち、Ｍｏｄ（ＳＦＮ，ＴRA／１０ｍｓ）＝Ｎを満たし、Ｎは、ＴRA／１０ｍｓより小さい非負整数であり、Ｍｏｄは、モジュロ演算である、
請求項４〜６のいずれか１項に記載の方法。
【請求項８】
前記ランダムアクセスリソースの前記開始位置が配置される前記ＳＦＮは、システムフレーム番号０である、
請求項７に記載の方法。
【請求項９】
前記端末デバイスによって、前記ＰＲＡＣＨ構成情報に基づいて、ネットワークデバイスにアクセスする前記ステップは、
前記端末デバイスによって、ダウンリンク信号を受信するステップと、
前記端末デバイスによって、前記ＰＲＡＣＨ構成情報に基づいて、ランダムアクセスプリアンブル、及びダウンリンク信号に関連付けられたランダムアクセスリソースを決定するステップと、
前記端末デバイスによって、前記ダウンリンク信号に関連付けられた前記ランダムアクセスリソース上で、前記ネットワークデバイスに前記ランダムアクセスプリアンブルを送信するステップと、を含む、
請求項１〜８のいずれか１項に記載の方法。
【請求項１０】
前記端末デバイスによって、ダウンリンク信号のインデックスを受信するステップをさらに含む、
請求項１〜９のいずれか１項に記載の方法。
【請求項１１】
リソース構成方法であって、
ネットワークデバイスによって、物理ランダムアクセスチャネル（ＰＲＡＣＨ）構成情報を送信するステップであって、前記ＰＲＡＣＨ構成情報は、少なくともプリアンブルフォーマットを含み、ランダムアクセスリソースは、ランダムアクセスチャネル機会（ＲＡＣＨ機会）であり、異なる数量のＲＡＣＨ機会が、同じ時間単位かつ異なる周波数に対応する無線リソースに割り当てられることができ、前記無線リソースに割り当てられるＲＡＣＨ機会の数量は、対応するプリアンブルフォーマットに基づいて決定される、ステップと、
前記ネットワークデバイスによって、端末デバイスのアクセス要求を受信するステップと、
を含む、方法。
【請求項１２】
前記ＰＲＡＣＨ構成情報は、次の情報、即ち、ランダムアクセスリソースのシステムフレーム番号（ＳＦＮ）、ランダムアクセスリソースのサブフレーム番号、ランダムアクセスリソースについての開始直交周波数分割多重（ＯＦＤＭ）シンボル、ランダムアクセスプリアンブルグルーピング情報、サブキャリア間隔、ランダムアクセスリソースが配置される周波数の開始位置、及びタイミングアドバンス（ＴＡ）のうちの１つ以上をさらに含む、
請求項１１に記載の方法。
【請求項１３】
前記ＰＲＡＣＨ構成情報は、ダウンリンク信号に関連付けられたランダムアクセスリソースの数量、又は、ダウンリンク信号に関連付けられたランダムアクセスリソースのインデックスをさらに含み、前記ダウンリンク信号は、同期信号／物理報知チャネル（ＳＳ／ＰＢＣＨ）、又は前記ネットワークデバイスから受信されるチャネル状態情報−参照信号（ＣＳＩ−ＲＳ）である、
請求項１１又は１２に記載の方法。
【請求項１４】
前記ランダムアクセスリソースが配置されるシステムフレーム番号（ＳＦＮ）は、次の式、即ち、
Ｍｏｄ（ＳＦＮ，２）＝０、Ｍｏｄ（ＳＦＮ，２）＝１、
Ｍｏｄ（ＳＦＮ，４）＝０、Ｍｏｄ（ＳＦＮ，４）＝１、Ｍｏｄ（ＳＦＮ，４）＝２、Ｍｏｄ（ＳＦＮ，４）＝３、
Ｍｏｄ（ＳＦＮ，８）＝０、Ｍｏｄ（ＳＦＮ，８）＝１、Ｍｏｄ（ＳＦＮ，８）＝２、Ｍｏｄ（ＳＦＮ，８）＝３、Ｍｏｄ（ＳＦＮ，８）＝４、Ｍｏｄ（ＳＦＮ，８）＝５、Ｍｏｄ（ＳＦＮ，８）＝６、Ｍｏｄ（ＳＦＮ，８）＝７、
Ｍｏｄ（ＳＦＮ，１６）＝０、Ｍｏｄ（ＳＦＮ，１６）＝１、Ｍｏｄ（ＳＦＮ，１６）＝２、Ｍｏｄ（ＳＦＮ，１６）＝３、Ｍｏｄ（ＳＦＮ，１６）＝４、Ｍｏｄ（ＳＦＮ，１６）＝５、Ｍｏｄ（ＳＦＮ，１６）＝６、Ｍｏｄ（ＳＦＮ，１６）＝７、
のうちの少なくとも１つを満たし、Ｍｏｄは、モジュロ演算である、
請求項１１〜１３のいずれか１項に記載の方法。
【請求項１５】
前記ランダムアクセスリソースの開始位置が配置されるシステムフレーム番号（ＳＦＮ）は、次の式、即ち、Ｍｏｄ（ＳＦＮ，ＴRA／１０ｍｓ）＝Ｎを満たし、Ｎは、ＴRA／１０ｍｓより小さい非負整数であり、Ｍｏｄは、モジュロ演算である、
請求項１４に記載の方法。
【請求項１６】
前記ランダムアクセスリソースの前記開始位置が配置される前記ＳＦＮは、システムフレーム番号０である、
請求項１５に記載の方法。
【請求項１７】
前記ネットワークデバイスによって、前記端末デバイスのアクセス要求を受信する前記ステップは、
前記ネットワークデバイスによって、ダウンリンク信号を送信するステップと、
前記ネットワークデバイスによって、ダウンリンク信号に関連付けられたランダムアクセスリソース上で前記端末デバイスによって送信されるランダムアクセスプリアンブルを受信するステップと、を含む、
請求項１１〜１６のいずれか１項に記載の方法。
【請求項１８】
前記ネットワークデバイスによって、ダウンリンク信号のインデックスを送信するステップをさらに含む、
請求項１１〜１７のいずれか１項に記載の方法。
【請求項１９】
リソース構成のための装置であって、
命令を記憶するように構成された１つ以上のメモリと、
前記１つ以上のメモリに接続され、前記命令を実行して前記装置に請求項１〜１０のいずれか１項に記載の前記方法を実施させるように構成された１つ以上のプロセッサと、
を備える、装置。
【請求項２０】
リソース構成のための装置であって、
命令を記憶するように構成された１つ以上のメモリと、
前記１つ以上のメモリに接続され、前記命令を実行して前記装置に請求項１１〜１８のいずれか１項に記載の前記方法を実施させるように構成された１つ以上のプロセッサと、
を備える、装置。
【請求項２１】
リソース構成のための装置であって、請求項１〜１０のいずれか１項に記載の前記方法を実施するように構成された、装置。
【請求項２２】
リソース構成のための装置であって、請求項１１〜１８のいずれか１項に記載の前記方法を実施するように構成された、装置。
【請求項２３】
コンピュータ可読記憶媒体であって、前記コンピュータ可読記憶媒体は、コンピュータプログラム又は命令を記憶し、前記コンピュータプログラム又は前記命令が実行されるとき、請求項１〜９のいずれか１項又は請求項１１〜１８のいずれか１項に記載の前記方法が実施される、コンピュータ可読記憶媒体。
【請求項２４】
請求項１９に記載の前記装置と、請求項２０に記載の前記装置とを含む、
通信システム。
【請求項２５】
請求項２１に記載の前記装置と、請求項２２に記載の前記装置とを含む、
通信システム。
【発明の詳細な説明】
【技術分野】
【０００１】
この出願は、その全体が参照により本明細書に組み込まれる、「ＲＥＳＯＵＲＣＥ  ＣＯＮＦＩＧＵＲＡＴＩＯＮ  ＭＥＴＨＯＤ  ＡＮＤ  ＡＰＰＡＲＡＴＵＳ」と題する、２０１７年５月５日に中国特許庁に出願された中国特許出願第ＣＮ２０１７１０３１３４３６．Ｘ号の優先権を主張する。
【０００２】
本発明は、通信技術の分野に関し、特に、リソースの構成方法及び装置に関する。
【背景技術】
【０００３】
マルチビームネットワークでは、ネットワークデバイスと端末デバイスとは、互いに通信する前にダウンリンク同期とアップリンク同期とを実行する必要がある。ダウンリンク同期中に、ネットワークデバイスは、複数の送信ビームを用いてダウンリンク同期信号を送信し、端末デバイスは、１つ又は複数の受信ビームを用いてダウンリンク同期信号を受信及び検出して、最適なダウンリンク送信ビームを取得し、ビームペアと、時間と、システム情報とを受信する。アップリンク同期は、ランダムアクセス処理を用いることによって実装される。端末デバイスは、最初に、ランダムアクセス信号を送信する。次いで、ネットワークデバイスは、ランダムアクセス信号を検出して、最適なアップリンク送信ビームを取得し、ビームペア、アップリンク時間などを受信する。最終的に、ネットワークデバイスと端末デバイスとの間でのアップリンク同期が実施される。
【０００４】
ロングタームエボリューション（Ｌｏｎｇ  Ｔｅｒｍ  Ｅｖｏｌｕｔｉｏｎ、ＬＴＥ）通信システムにおいて、ネットワークデバイスは、ネットワークデバイスのカバレージエリア内の端末デバイスとの送信と受信とを実行するのに同じビームを用いる。但し、ＬＴＥのためのランダムアクセスリソース構成方法は、マルチビームネットワークに適用不可能である。
【０００５】
従って、マルチビームネットワークにおけるリソース構成問題を緊急に解決する必要がある。
【発明の概要】
【０００６】
この出願は、マルチビームネットワークにおけるリソース構成を実現するためにリソース構成方法及び装置を提供する。
【０００７】
この出願の一態様によれば、リソース構成方法を提供する。方法は、端末デバイスによって、構成情報を取得するステップであって、構成情報は、次の情報、即ち、ランダムアクセス構成情報、及びダウンリンク信号パラメータ情報、のうちの少なくとも１つを含む、ステップと、端末デバイスによって、構成情報に基づいてネットワークデバイスにアクセスするステップとを含む。
【０００８】
この実装では、端末デバイスは、ランダムアクセス構成情報及び／又はダウンリンク信号パラメータ情報を取得し、構成情報に基づいてネットワークにアクセスし得る。このようにして、単純なリソース構成解決策がマルチビームネットワークのために提供され、それによって、マルチビームネットワークにおけるダウンリンク信号に関連付けられたランダムアクセスを実施する。
【０００９】
実装では、端末デバイスによって、構成情報に基づいてネットワークデバイスにアクセスするステップは、構成情報に基づいて端末デバイスによって、ダウンリンク信号に関連付けられたランダムアクセスリソースとランダムアクセスプリアンブルとを決定するステップと、端末デバイスによって、ランダムアクセスリソース上でネットワークデバイスにランダムアクセスプリアンブルを送信するステップとを特に含む。
【００１０】
この実装では、端末デバイスは、ランダムアクセス構成情報及び／又はダウンリンク信号パラメータ情報に基づいて、ダウンリンク信号に関連付けられたランダムアクセスリソースとランダムアクセスプリアンブルとを決定し、それによって、マルチビームネットワークにおけるダウンリンク信号に関連付けられたランダムアクセスを実施する。
【００１１】
別の実装では、方法は、端末デバイスによって、ネットワークデバイスから、次の情報、即ち、ランダムアクセスプリアンブルのインデックス、ダウンリンク信号のインデックス、ダウンリンク信号バーストセット中のダウンリンク信号に関連付けられたランダムアクセスリソース、ランダムアクセス時間期間、及びダウンリンク信号バーストセット中のダウンリンク信号に関連付けられたランダムアクセスリソースの総数量、のうちの少なくとも１つを受信するステップをさらに含む。
【００１２】
この実装では、非競合ベースのアクセスモードにおいて、ネットワークデバイスは、ダウンリンク信号に関連付けられたランダムアクセスの構成を指定することができる。
【００１３】
さらに別の実装では、端末デバイスによってランダムアクセスプリアンブルを送信するための送信電力は、次のパラメータ、即ち、試みられたビームの最大数量、端末デバイスによってランダムアクセスプリアンブルを送信する回数、及びダウンリンク信号バーストセットに関連付けられたランダムアクセスリソースの時間内で許容される送信の最大数量、のうちの少なくとも１つに関連付けられ、ここで、ランダムアクセスプリアンブルを送信する回数は、プリアンブル送信の最大数量以下である。
【００１４】
この実装では、端末デバイスによってランダムアクセスプリアンブルを送信するための送信電力は、上記のパラメータに基づいて決定されることができ、それによって、ランダムアクセスプリアンブルを送信するための送信電力は、試みられたビームの最大数量、プリアンブルを送信する回数、及びダウンリンク信号バーストセットに関連付けられたランダムアクセスリソースの時間内で許容される送信の最大数量に適合する。
【００１５】
この出願の別の態様によれば、リソース構成方法を提供する。方法は、ネットワークデバイスによって、端末デバイスに構成情報を送信するステップであって、構成情報は、次の情報、即ち、ランダムアクセス構成情報、及びダウンリンク信号パラメータ情報、のうちの少なくとも１つを含む、ステップと、ネットワークデバイスによって、端末デバイスのアクセス要求を受信するステップとを含む。
【００１６】
この実装では、ネットワークデバイスは、端末デバイスにランダムアクセス構成情報及び／又はダウンリンク信号パラメータ情報を送信し、端末デバイスは、構成情報に基づいてネットワークにアクセスし得る。このようにして、単純なリソース構成解決策がマルチビームネットワークのために提供され、それによって、マルチビームネットワークにおけるダウンリンク信号に関連付けられたランダムアクセスを実施する。
【００１７】
実装では、ネットワークデバイスによって、端末デバイスのアクセス要求を受信するステップは、ネットワークデバイスによって、ダウンリンク信号に関連付けられたランダムアクセスリソース上で端末デバイスによって送信されるランダムアクセスプリアンブルを受信するステップを特に含む。
【００１８】
この実装では、端末デバイスは、ランダムアクセス構成情報及び／又はダウンリンク信号パラメータ情報に基づいて、ダウンリンク信号に関連付けられたランダムアクセスリソースとランダムアクセスプリアンブルとを決定し、ネットワークデバイスは、ランダムアクセスプリアンブルを受信し、それによって、マルチビームネットワークにおけるダウンリンク信号に関連付けられたランダムアクセスを実施する。
【００１９】
この出願の一態様及び別の態様に関連し、実装では、ランダムアクセス構成情報は、ランダムアクセスの開始時間と、持続時間と、終了時間とを含み、ここで、時間は、次のもの、即ち、サブフレーム、スロット、ミニスロット、直交周波数分割多重ＯＦＤＭシンボル、及びランダムアクセスリソースインデックス、のうちの少なくとも１つである。
【００２０】
この実装では、ランダムアクセス構成は、ランダムアクセスリソースの時間構成と周波数構成とを含み、ランダムアクセスリソースは、時間及び周波数に関してダウンリンク信号に関連付けられる。
【００２１】
この出願の一態様及び別の態様に関連し、別の実装では、ダウンリンク信号パラメータ情報は、次の情報、即ち、ダウンリンク信号バーストセット中のダウンリンク信号バーストの数量、及び各ダウンリンク信号バースト中のダウンリンク信号の数量、のうちの少なくとも１つを含む。
【００２２】
この実装では、ダウンリンク信号バーストセットは、１つ又は複数のダウンリンク信号バーストを含み得るし、各ダウンリンク信号バーストは、１つ又は複数のダウンリンク信号をさらに含み得る。ランダムアクセス構成情報と共に、この情報を構成すると、各ランダムアクセスリソースは、情報を構成することによってランダムアクセス構成情報に関して、各ダウンリンク信号に関連付けられることができる。ここでは、情報は、ダウンリンク信号パラメータ情報中に構成される。
【００２３】
この出願の一態様及び別の態様に関連し、さらに別の実装では、ランダムアクセス構成情報は、次の情報、即ち、ダウンリンク信号とランダムアクセスリソースとの間の対応関係、及び各ダウンリンク信号バーストに関連付けられたランダムアクセスリソースの数量、のうちの少なくとも１つをさらに含む。
【００２４】
この実装では、ダウンリンク信号バーストセットは、１つ又は複数のダウンリンク信号バーストを含み得るし、各ダウンリンク信号バーストは、１つ又は複数のダウンリンク信号をさらに含み得る。各ランダムアクセスリソースは、情報を構成することによって、ランダムアクセス構成情報に関して、各ダウンリンク信号に関連付けられることができる。ここでは、情報は、ランダムアクセス構成情報中に構成される。
【００２５】
この出願の一態様及び別の態様に関連し、さらに別の実装では、構成情報は、次の情報、即ち、ダウンリンク信号とランダムアクセスリソースとの間の対応関係、及び各ダウンリンク信号バーストに関連付けられたランダムアクセスリソースの数量、のうちの少なくとも１つをさらに含む。
【００２６】
この実装では、ダウンリンク信号バーストセットは、１つ又は複数のダウンリンク信号バーストを含み得るし、各ダウンリンク信号バーストは、１つ又は複数のダウンリンク信号をさらに含み得る。各ランダムアクセスリソースは、情報を構成することによって、ランダムアクセス構成情報に関して、各ダウンリンク信号に関連付けられることができる。ここでは、情報は、構成情報中に構成される。
【００２７】
この出願の一態様及び別の態様に関連し、さらに別の実装では、ダウンリンク信号パラメータ情報は、次の情報、即ち、ダウンリンク信号とランダムアクセスリソースとの間の対応関係、及び各ダウンリンク信号バーストに関連付けられたランダムアクセスリソースの数量、のうちの少なくとも１つをさらに含む。
【００２８】
この実装では、ダウンリンク信号とランダムアクセスリソースとの間の対応関係及び各ダウンリンク信号バーストに関連付けられたランダムアクセスリソースの数量が構成されることができる。各ランダムアクセスリソースは、ダウンリンク信号とランダムアクセスリソースとの間の対応関係及び各ダウンリンク信号バーストに関連付けられたランダムアクセスリソースの数量に基づいて各ダウンリンク信号に関連付けられることができる。
【００２９】
この出願の一態様及び別の態様に関連し、さらに別の実装では、ダウンリンク信号とランダムアクセスリソースとの間の対応関係は、次のパラメータ、即ち、ダウンリンク信号インデックス、ランダムアクセスリソースインデックス、各ダウンリンク信号バースト中のダウンリンク信号の数量、及び各ダウンリンク信号バーストに関連付けられたランダムアクセスリソースの数量、のうちの少なくとも１つに基づいて決定される。
【００３０】
この実装では、ダウンリンク信号とランダムアクセスリソースとの間の対応関係は、これらのパラメータを用いることによって決定されることができ、それによって、各ランダムアクセスリソースは、各ダウンリンク信号に関連付けられることができる。
【００３１】
この出願の一態様及び別の態様に関連し、さらに別の実装では、ダウンリンク信号とランダムアクセスリソースとの間の対応関係は、各ダウンリンク信号のインデックスと各ランダムアクセスリソースのインデックスとの間の対応関係を含む。
【００３２】
この実装では、ダウンリンク信号とランダムアクセスリソースとの間の対応関係は、ダウンリンク信号のインデックスとランダムアクセスリソースのインデックスとの間の対応関係に基づいて決定されることができ、それによって、各ランダムアクセスリソースは、各ダウンリンク信号に関連付けられることができる。
【００３３】
この出願の一態様及び別の態様に関連し、さらに別の実装では、ダウンリンク信号とランダムアクセスリソースとの間の対応関係は、次のパラメータ、即ち、各ダウンリンク信号バーストに関連付けられたランダムアクセスリソースのインデックスのオフセット、及び各ダウンリンク信号バーストに関連付けられたランダムアクセスリソースの数量、に基づいて決定される。
【００３４】
この実装では、ダウンリンク信号とランダムアクセスリソースとの間の対応関係は、これらのパラメータを用いることによって決定されることができ、それによって、各ランダムアクセスリソースは、各ダウンリンク信号に関連付けられることができる。
【００３５】
この出願の一態様及び別の態様に関連し、さらに別の実装では、ダウンリンク信号パラメータ情報は、次の情報、即ち、ダウンリンク信号バーストセットに関連付けられたランダムアクセスリソースの総数量、ダウンリンク信号インデックス、ダウンリンク信号に関連付けられたランダムアクセスリソースのインデックス、及びダウンリンク信号に関連付けられたランダムアクセスリソースの数量、のうちの少なくとも１つをさらに含む。
【００３６】
この実装では、各ランダムアクセスリソースは、情報を構成することによって、ランダムアクセス構成情報に関して、各ダウンリンク信号に関連付けられることができる。ここでは、情報は、ダウンリンク信号パラメータ情報中に構成される。
【００３７】
この出願の一態様及び別の態様に関連し、さらに別の実装では、ダウンリンク信号は、同期信号ブロックＳＳブロックである。
【００３８】
この出願のさらに別の態様によれば、端末デバイスを提供する。端末デバイスは、上記の方法における端末デバイスの動作を実施する機能を有する。機能は、ハードウェアによって、又は対応するソフトウェアを実行するハードウェアによって実装され得る。ハードウェア又はソフトウェアは、機能に対応する１つ又は複数のモジュールを含む。
【００３９】
可能な実装では、端末デバイスは、構成情報を取得することであって、構成情報は、次の情報、即ち、ランダムアクセス構成情報、及びダウンリンク信号パラメータ情報、のうちの少なくとも１つを含む、ことを行うように構成された取得ユニットと、構成情報に基づいてネットワークデバイスにアクセスするように構成されたアクセスユニットとを含む。
【００４０】
別の可能な実装では、端末デバイスは、受信機と、送信機と、メモリと、プロセッサとを含む。メモリは、プログラムコードのセットを記憶し、プロセッサは、メモリ中に記憶されたプログラムコードを呼び出し、次の動作、即ち、構成情報を取得することであって、構成情報は、次の情報、即ち、ランダムアクセス構成情報、及びダウンリンク信号パラメータ情報、のうちの少なくとも１つを含む、ことと、構成情報に基づいてネットワークデバイスにアクセスすることと、を実行するように構成される。
【００４１】
同じ発明概念に基づいて、問題解決の原則及び装置の有益な効果について、端末デバイスの可能な方法実装及びもたらされる有益な効果を参照されたい。従って、装置の実装について、方法の実装を参照されたい。重複説明は再び説明されない。
【００４２】
この出願のさらに別の態様によれば、ネットワークデバイスを提供する。ネットワークデバイスは、上記の方法におけるネットワークデバイスの動作を実施する機能を有する。機能は、ハードウェアによって、又は対応するソフトウェアを実行するハードウェアによって実装され得る。ハードウェア又はソフトウェアは、機能に対応する１つ又は複数のモジュールを含む。
【００４３】
可能な実装では、ネットワークデバイスは、端末デバイスに構成情報を送信することであって、構成情報は、次の情報、即ち、ランダムアクセス構成情報、及びダウンリンク信号パラメータ情報、のうちの少なくとも１つを含む、ことを行うように構成された送信ユニットと、端末デバイスのアクセス要求を受信するように構成された受信ユニットとを含む。
【００４４】
別の可能な実装では、ネットワークデバイスは、受信機と、送信機と、メモリと、プロセッサとを含む。メモリは、プログラムコードのセットを記憶し、プロセッサは、メモリ中に記憶されたプログラムコードを呼び出し、次の動作、即ち、送信機を用いることによって端末デバイスに構成情報を送信することであって、構成情報は、次の情報、即ち、ランダムアクセス構成情報、及びダウンリンク信号パラメータ情報、のうちの少なくとも１つを含む、ことと、受信機を用いることによって端末デバイスのアクセス要求を受信することと、を実行するように構成される。
【００４５】
同じ発明概念に基づいて、問題解決の原則及び装置の有益な効果について、ネットワークデバイスの可能な方法実装及びもたらされる有益な効果を参照されたい。従って、装置の実装について、方法の実装を参照されたい。重複説明は再び説明されない。
【００４６】
この出願のさらに別の態様は、コンピュータ可読記憶媒体を提供し、コンピュータ可読記憶媒体は、命令を記憶し、命令がコンピュータ上で実行されるとき、コンピュータは、上記の態様における方法を実行することが可能になる。
【００４７】
この出願のさらに別の態様によれば、通信チップを提供し、通信チップは命令を記憶する。命令が通信デバイス上で実行されるとき、コンピュータは、上記の態様における方法を実行することが可能になる。
【００４８】
この出願のさらに別の態様によれば、命令を含むコンピュータプログラム製品を提供する。コンピュータプログラム製品がコンピュータ上で実行されるとき、コンピュータは、上記の態様における方法を実行することが可能になる。
【図面の簡単な説明】
【００４９】
本発明の実施形態における技術的解決策についてより明らかに説明するために、以下に、本発明の実施形態について説明するために必要な添付の図面を簡単に説明する。
【００５０】
【図１】本発明の実施形態による通信システムの概略アーキテクチャ図である。
【図２ａ】ネットワークデバイスによって送信されるダウンリンク信号のグルーピングの概略図である。
【図２ｂ】ネットワークデバイスによって受信されるアップリンク信号のグルーピングの概略図である。
【図３】異なる送信ビームと異なる受信ビームとに対する負荷の概略図である。
【図４】各々に対応する送信ビームと受信ビームとの概略図である。
【図５】本発明の実施形態によるリソース構成方法の概略対話型図である。
【図６】フレーム構造の概略図である。
【図７】ランダムアクセスリソースの概略構造図である。
【図８ａ】１つのランダムアクセスリソース上のランダムアクセスプリアンブルの概略構造図である。
【図８ｂ】Ｎ個のランダムアクセスリソース上のランダムアクセスプリアンブルの概略構造図である。
【図９ａ】例示的なランダムアクセス構成中のランダムアクセスリソースの概略構造図である。
【図９ｂ】図９ａに基づく例におけるダウンリンク信号とランダムアクセスリソースとの間の関連の概略図である。
【図１０】図９ａに基づく別の例におけるダウンリンク信号とランダムアクセスリソースとの間の関連の概略図である。
【図１１】図９ａに基づくさらに別の例におけるダウンリンク信号とランダムアクセスリソースとの間の関連の概略図である。
【図１２ａ】別の例示的なランダムアクセス構成中のランダムアクセスリソースの概略構造図である。
【図１２ｂ】図１２ａに基づく例におけるダウンリンク信号とランダムアクセスリソースとの間の関連の概略図である。
【図１３】本発明の実施形態による端末デバイスの概略モジュール図である。
【図１４】本発明の実施形態によるネットワークデバイスの概略モジュール図である。
【図１５】本発明の実施形態による端末デバイス／ネットワークデバイスのハードウェア構造の概略図である。
【発明を実施するための形態】
【００５１】
以下に、本発明の実施形態における添付の図面を参照しながら本発明の実施形態について説明する。
【００５２】
図１は、本発明の実施形態による、通信システムの概略アーキテクチャ図である。通信システムは、基地局と端末デバイスとを含む。通信システムは、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）システム、ロングタームエボリューション（Ｌｏｎｇ  Ｔｅｒｍ  Ｅｖｏｌｕｔｉｏｎ、ＬＴＥ）システム、５Ｇ通信システム（例えば、新無線（Ｎｅｗ  Ｒａｄｉｏ、ＮＲ）システム、複数の通信技術を統合する通信システム（例えば、ＬＴＥ技術とＮＲ技術とを統合する通信システム）、又は後続の発展型通信システムであり得る。
【００５３】
この出願中における端末デバイスは、ワイヤレス通信機能を持つデバイスであり、ハンドヘルドデバイス、車載デバイス、ウェアラブルデバイス、又はワイヤレス通信機能を持つコンピューティングデバイス、又はワイヤレスモデムに接続された別の処理デバイスであり得る。異なるネットワークにおいて、端末デバイスは、異なる名前を有し得る。例えば、端末デバイスは、ユーザ機器（Ｕｓｅｒ  Ｅｑｕｉｐｍｅｎｔ、ＵＥ）、アクセス端末、加入者ユニット、加入者局、移動局、モバイルコンソール、リモート局、リモート端末、モバイルデバイス、ユーザ端末、端末、ワイヤレス通信デバイス、ユーザエージェント若しくはユーザ装置、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）フォン、ワイヤレスローカルループ（Ｗｉｒｅｌｅｓｓ  Ｌｏｃａｌ  Ｌｏｏｐ、ＷＬＬ）局、携帯情報端末（Ｐｅｒｓｏｎａｌ  Ｄｉｇｉｔａｌ  Ａｓｓｉｓｔａｎｔ、ＰＤＡ）、又は５Ｇネットワーク若しくは将来の発展型ネットワークにおける端末デバイスであり得る。
【００５４】
この出願におけるネットワークデバイスは、ワイヤレス通信機能を与えるためにワイヤレスアクセスネットワークに展開されるデバイスである。ネットワークデバイスは、限定はしないが、基地局（例えば、送受信基地局（Ｂａｓｅ  Ｔｒａｎｓｃｅｉｖｅｒ  Ｓｔａｔｉｏｎ、ＢＴＳ）、ノードＢ（ＮｏｄｅＢ、ＮＢ）、発展型ノードＢ（Ｅｖｏｌｖｅｄ  ＮｏｄｅＢ、ｅＮＢ又はｅノードＢ）、ＮＲシステム中の送受信ポイント若しくは送信ポイント（ｔｒａｎｓｍｉｓｓｉｏｎ  ｒｅｃｅｐｔｉｏｎ  ｐｏｉｎｔ、ＴＲＰ若しくはＴＰ）若しくは次世代ノードＢ（ｇｅｎｅｒａｔｉｏｎ  ＮｏｄｅＢ、ｇＮＢ）、又は将来の通信ネットワーク中の基地局若しくはネットワークデバイス）、リレーノード、アクセスポイント、車載デバイス、ウェアラブルデバイス、ワイヤレスフィデリティ（Ｗｉｒｅｌｅｓｓ−Ｆｉｄｅｌｉｔｙ、Ｗｉ−Ｆｉ）局、ワイヤレスバックホールノード、スモールセル、又はマイクロ基地局を含む。
【００５５】
特に、図１では、基地局１０２は、複数のアンテナグループを含み得る。各アンテナグループは、１つ又は複数のアンテナを含み得る。例えば、１つのアンテナグループは、アンテナ１０４とアンテナ１０６とを含み得るし、別のアンテナグループはアンテナ１０８とアンテナ１１０とを含み得る。さらに、追加のグループがさらに含まれ得るし、追加のグループは、アンテナ１１２とアンテナ１１４とを含み得る。高周波通信では、異なるアンテナグループが、異なるアンテナパネルを形成するために組み合わされ得る。例えば、アンテナグループのうちの１つは、１つの方向を指す１つのビームを形成し、別のアンテナグループは、別の方向を指す別のビームを形成する。しかし、異なるデバイス能力に適合するために、より多くのアンテナが必要とされ得る。従って、異なる数量のアンテナが、異なるデバイス能力に従って追加のグループのために構成され得る。例えば、図１では、２つのアンテナがアンテナグループ毎に示されている。しかし、より多い又はより少ないアンテナがグループ毎に用いられ得る。基地局１０２は、送信機チェーンと受信機チェーンとをさらに含み得る。送信機チェーンと受信機チェーンとの両方が信号の送信及び受信に関係する複数の構成要素、例えば、プロセッサ、変調器、マルチプレクサ、復調器、デマルチプレクサ、又はアンテナを含み得ることを、当業者は理解し得る。
【００５６】
基地局１０２は、例えば、端末デバイス１１６及び端末デバイス１２２と通信する１つ又は複数の端末デバイスと通信し得る。しかし、基地局１０２は、端末デバイス１１６又は１２２と同様の任意の数量の端末デバイスと通信し得ることが理解され得る。図１に示すように、端末デバイス１１６は、アンテナ１１２及びアンテナ１１４と通信する。アンテナ１１２とアンテナ１１４とは、順方向リンク１１８を通して端末デバイス１１６に情報を送信し、逆方向リンク１２０を通して端末デバイス１１６から情報を受信する。さらに、端末デバイス１２２は、アンテナ１０４及びアンテナ１０６と通信する。アンテナ１０４とアンテナ１０６とは、順方向リンク１２４を通して端末デバイス１２２に情報を送信し、逆方向リンク１２６を通して端末デバイス１２２から情報を受信する。周波数分割複信（Ｆｒｅｑｕｅｎｃｙ  Ｄｉｖｉｓｉｏｎ  Ｄｕｐｌｅｘ、ＦＤＤ）システムでは、例えば、逆方向リンク１２０のために用いられる周波数帯域とは異なる周波数帯域が順方向リンク１１８のために用いられ得るし、逆方向リンク１２６のために用いられる周波数帯域とは異なる周波数帯域が順方向リンク１２４のために用いられ得る。さらに、時分割複信（Ｔｉｍｅ  Ｄｉｖｉｓｉｏｎ  Ｄｕｐｌｅｘ、ＴＤＤ）システムでは、順方向リンク１１８と逆方向リンク１２０とは周波数帯域を共有し得るし、順方向リンク１２４と逆方向リンク１２６とは周波数帯域を共有し得る。
【００５７】
通信ために設計されたアンテナの各グループによってカバーされるエリア及び／又はアンテナの各グループの送信によってカバーされるエリアは、基地局１０２のセクタと呼ばれる。例えば、アンテナグループは、基地局１０２によってカバーされるエリアのセクタ中の端末デバイスと通信するように設計され得る。基地局１０２が順方向リンク１１８と順方向リンク１２４とを通して端末デバイス１１６及び端末デバイス１２２とそれぞれ通信する処理では、順方向リンク１１８と順方向リンク１２４との信号対雑音比は、基地局１０２の送信アンテナ上でのビームフォーミングを通して増加し得る。さらに、基地局が、１つのアンテナを通して、基地局に接続された全ての端末デバイスに信号を送信する方式と比較して、基地局１０２が、ビームフォーミングを通して、関連するカバレージエリア中にランダムに分散された端末デバイス１１６及び端末デバイス１２２に信号を送信するとき、より少ない干渉が隣接セル中のモバイルノードに生じる。
【００５８】
所与の時間内に、基地局１０２と、端末デバイス１１６又は端末デバイス１２２とはそれぞれ、ワイヤレス通信送信装置及び／又はワイヤレス通信受信装置であり得る。データを送信するとき、ワイヤレス通信送信装置は、送信のためにデータを符号化し得る。特に、ワイヤレス通信送信装置は、チャネルを通してワイヤレス通信受信装置に送信されるべきである特定の数量のデータビットを取得し得る（例えば、生成することか、別の通信装置から受信することか、又はメモリ中に記憶すること）。そのようなデータビットは、データのトランスポートブロック又は複数のトランスポートブロック中に含まれ得るし、トランスポートブロックは、複数のコードブロックを生成するためにセグメント化され得る。
【００５９】
次世代のモバイル通信システム、例えば、新無線（Ｎｅｗ  Ｒａｄｉｏ、ＮＲ）通信システムでは、図２ａに示すネットワークデバイスによって送信されたダウンリンク信号のグルーピングの概略図によれば、ネットワークデバイスは、ダウンリンクデータ送信のフルカバレージを実現するために複数の送信ビームを用いる。図２ｂに示すネットワークデバイスによって受信されたアップリンク信号のグルーピングの概略図によれば、ネットワークデバイスは、アップリンクデータ送信のフルカバレージを実現するために複数の受信ビームを用いる。特定の例では、アップリンク／ダウンリンク信号は、同期信号ブロック（Ｓｙｎｃｈｒｏｎｉｚａｔｉｏｎ  Ｓｉｇｎａｌ  ｂｌｏｃｋ、ＳＳブロック）であり得る。１つのダウンリンク信号は、１つの送信ビームに対応する。ネットワークデバイスは、独立したランダムアクセスリソースと独立したランダムアクセスプリアンブルとに各ダウンリンク信号を関連付ける。ダウンリンク信号ｋに関連付けられたランダムアクセスプリアンブルを受信すると、ネットワークデバイスは、ダウンリンク信号ｋに対応する送信ビームを用いてランダムアクセス応答を送信する。図２ａ及び図２ｂに示すように、複数のアップリンク／ダウンリンク信号は、１つのアップリンク／ダウンリンク信号グループ、又はアップリンク／ダウンリンク信号バーストと呼ばれるものを形成する（特定の例では、アップリンク／ダウンリンク信号バーストはＳＳバーストであり得る）。フルカバレージを実現する複数のアップリンク／ダウンリンク信号グループは、１つのアップリンク／ダウンリンク信号バーストセットと呼ばれる（特定の例では、アップリンク／ダウンリンク信号バーストセットはＳＳバーストセットであり得る）。
【００６０】
しかし、従来技術では、ランダムアクセスリソースにダウンリンク信号をどのように関連付けるのかは説明されていない。さらに、複数のビームは、時間に関して別々に走査され、従って、対応するランダムアクセスリソースは、異なるビームのために構成される必要がある。図３は、異なる送信ビームと異なる受信ビームとに対する負荷の概略図である。いくつかのビーム（例えば、図３の送信ビーム１及び受信ビーム１）上により大きい数量のユーザがあり、いくつかのビーム（例えば、図３の送信ビーム２及び受信ビーム２）上により少ない数量のユーザがある。従って、異なる数量のランダムアクセスリソースをビームに対する異なる負荷に関連付ける必要がある。図４に示す各々に対応する送信ビームと受信ビームとの概略図では、ネットワークデバイスの送信ビームと受信ビームとは、互いに正確に対応しない。具体的に言えば、ネットワークデバイスの１つの送信ビームのカバレージエリアは、複数の受信ビームによってカバーされ得る。従って、ランダムアクセスを効率的にサポートするためにフレキシブルなリソース構成が要求される。本発明の実施形態は、特定の解決策を提供する。
【００６１】
本発明の実施形態は、マルチビームネットワークにおける単純なリソース構成解決策を提供するリソース構成方法及び装置を提供し、それによって、マルチビームネットワークにおいてダウンリンク信号に関連付けられたランダムアクセスを実施する。
【００６２】
図５は、本発明の実施形態によるリソース構成方法の概略対話型図である。方法は、以下のステップを含む。
【００６３】
Ｓ１０１．端末デバイスは、構成情報を取得し、ここで、構成情報は、次の情報、即ち、ランダムアクセス構成情報、及びダウンリンク信号パラメータ情報、のうちの少なくとも１つを含む。
【００６４】
Ｓ１０２．端末デバイスは、構成情報に基づいてネットワークデバイスにアクセスする。
【００６５】
それに応じて、ネットワークデバイスは、端末デバイスのアクセス要求を受信する。
【００６６】
実装では、構成情報は、システム情報（Ｓｙｓｔｅｍ  Ｉｎｆｏｒｍａｔｉｏｎ、ＳＩ）を用いて送信され得る。
【００６７】
特に、Ｓ１０２は、
構成情報に基づいて、ダウンリンク信号に関連付けられたランダムアクセスリソースとランダムアクセスプリアンブルとを決定することと、
ランダムアクセスリソース上でネットワークデバイスにランダムアクセスプリアンブルを送信することと、を含む。
【００６８】
それに応じて、ネットワークデバイスが端末デバイスのアクセス要求を受信することは、次のこと、即ち、ネットワークデバイスが、ダウンリンク信号に関連付けられたランダムアクセスリソース上で端末デバイスによって送信されたランダムアクセスプリアンブルを受信すること、を特に含む。
【００６９】
ランダムアクセス構成情報は、特にランダムアクセスリソースの構成である。ランダムアクセスリソースはまた、１つ又は複数のランダムアクセスチャネル（Ｒａｎｄｏｍ  Ａｃｃｅｓｓ  Ｃｈａｎｎｅｌ、ＲＡＣＨ）のランダムアクセス機会（ＲＡＣＨ機会／ＲＡＣＨ送信機会／ＲＡＣＨ機会／ＲＡＣＨチャンス）として理解され得る。１つのランダムアクセスプリアンブルフォーマットは、１つのランダムアクセス機会上で送信され得るし、１つのランダムアクセスバーストＲＡＣＨバーストは、少なくとも１つのランダムアクセス機会を含み得るし、１つのランダムアクセスバーストセットＲＡＣＨバーストセットは、少なくとも１つのランダムアクセスバーストを含み得る。１つのダウンリンク信号バーストセットは、１つのランダムアクセスバーストセットに関連付けられ、１つのダウンリンク信号バーストは、１つのランダムアクセスバーストに関連付けられ、ランダムアクセスバーストセットは、ランダムアクセス時間期間である。詳細な説明は以下で与えられる。
【００７０】
さらに、構成情報は、端末デバイス又はサードパーティのストレージデバイス中に事前記憶され得る（サードパーティのストレージデバイスは、端末デバイス及びネットワークデバイス以外のデバイスである）。端末デバイスは、端末デバイス若しくはサードパーティストレージデバイスのメモリから構成情報を取得するか、又は端末デバイスは、ネットワークデバイスから送信された構成情報を受信し得る。
【００７１】
マルチビームネットワークでは、ネットワークデバイスは、ダウンリンク同期を実行するために複数のダウンリンク信号を送信し、各ダウンリンク信号は、独立したランダムアクセスリソースに関連付けられる。従って、構成情報は、複数のダウンリンク信号のパラメータ情報をさらに含み得る。詳細な説明はまた以下で与えられる。
【００７２】
例えば、ランダムアクセスリソースの構造は以下の通りであり得る。
【００７３】
図６は、フレーム構造の概略図である。フレームは、１０ｍｓの長さを有し、１つのサブフレームは、１ｍｓの時間長を有し、１つのサブフレームは、少なくとも２つのスロットを含み得る。
【００７４】
例えば、図７は、ランダムアクセスリソースの概略構造図である。（サブフレーム、スロット、ミニスロット、又は直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルであり得る）Ｍ個の連続する時間ユニット中に、Ｋ個のランダムアクセスリソースがあり、各ランダムアクセスリソース（又はＲＡＣＨ機会）は、１回のランダムアクセスを開始するために端末デバイスによって用いられ得る。ランダムアクセスリソースの数量は、異なる周波数で、同じであり得る（図７では、周波数１からＦの各々にＫ個のランダムアクセスリソースがある）。代替的に、ランダムアクセスリソースの数量は、異なる周波数で、異なり得る。例えば、対応して用いられるランダムアクセスプリアンブルフォーマットが異なる場合、対応するリソース時間長は異なり、従って、異なる数量のランダムアクセスリソースが同じ時間に収容される。
【００７５】
例えば、図８ａは、１つのランダムアクセスリソース上のランダムアクセスプリアンブルの概略構造図である。スロット又はサブフレームは、ダウンリンクデータと、アップリンクデータと、ガードタイムと、ランダムアクセスリソースとを含む。ランダムアクセスリソースは、Ｋ個のランダムアクセスプリアンブル（又はランダムアクセスプリアンブルフォーマット）をさらに含む。ダウンリンクデータとアップリンクデータとはそれぞれ、０から１２個のＯＦＤＭシンボルを含み得る。ダウンリンクデータがなく、現在のリソースの前に実行されたデータ送信がアップリンク送信であるとき、ガードタイム１の時間長は０であり得る。
【００７６】
例えば、図８ｂは、Ｎ個のランダムアクセスリソース上のランダムアクセスプリアンブルの概略構造図である。Ｎ個のランダムアクセスリソースは、Ｋ個のランダムアクセスプリアンブルを含み、ダウンリンクデータとアップリンクデータとはそれぞれ、０から１２個のＯＦＤＭシンボルを含み得る。ダウンリンクデータがないとき、ガードタイム１の時間長は０であり得る。図８ｂの実装では、Ｔ＝１から６４、Ｎ＝１から６４、及びＫ＝Ｎ＊（１から１４）である。ランダムアクセスプリアンブルのサイクリックプレフィックスの長さは、３２＊（１から５１２）のサンプリングＴｓである。サンプリングＴｓの時間長は、サンプリングレートの逆数である。例えば、Ｔｓ＝１／３０．７２／２nマイクロ秒であり、ここで、ｎは整数である。
【００７７】
実装では、ランダムアクセス構成（ＲＡＣＨ構成／配置）情報は、ランダムアクセスの開始時間と、持続時間と、終了時間とを含む。時間ユニットは、次のもの、即ち、サブフレーム、スロット、ミニスロット、ＯＦＤＭシンボル、及びランダムアクセスリソースインデックス、のうちの少なくとも１つであり得る。開始時間は、ある時間期間中の１つ又は複数のランダムアクセスリソースの開始位置を表す。持続時間は、１つ又は複数のランダムアクセスリソースが配置される時間を表し、終了時間は、時間期間における１つ又は複数のランダムアクセスリソースの終了位置を表す。
【００７８】
特に、スロット番号は、１からＫまで取られ得るし、Ｋは整数である。例えば、Ｋは、１つのサブフレーム中のスロットの総数量を表し、Ｋの値は、２から６４である。物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）上での連続するサブフレームの数量は、１から４であり得る。例えば、このパラメータは、示されることなしにプリアンブルフォーマットに基づいて取得され得る。ＰＲＡＣＨ上での連続するスロットの数量は、１からＫであり得るし、Ｋは整数である。例えば、Ｋは、１つのサブフレーム中のスロットの総数量を表し、Ｋの値は、２から６４である。このパラメータはまた、示されることなしにプリアンブルフォーマットに基づいて取得され得るか、又はこのパラメータは、固定的に、２、４、８、１６、及び３２のいずれか１つであり得る。
【００７９】
さらに、ランダムアクセス構成情報は、ＰＲＡＣＨ構成インデックスと、プリアンブルフォーマットと、システムフレーム番号（Ｓｙｓｔｅｍ  Ｆｒａｍｅ  Ｎｕｍｂｅｒ、ＳＦＮ）と、サブフレーム番号と、ランダムアクセスリソースの数量と、周波数量と、周波数開始位置と、周波数オフセットと、タイミングアドバンスと、ランダムアクセスプリアンブルグルーピング情報と、サブキャリア間隔との少なくとも１つを含む。
【００８０】
システムフレーム番号は、Ｍｏｄ（ＳＦＮ，Ｎ）を定数にする値であり得る。例えば、Ｎは２であり、奇数番号のフレームと偶数番号のフレームとが示され得る。別の例では、Ｎは３であり、Ｍｏｄ（ＳＦＮ，Ｎ）＝０、１、及び２を用いるシステムフレーム番号が示され得る。別の例では、Ｎは４から１６であり、Ｎ個のシステムフレーム位置が指定され得る。ランダムアクセスリソースの数量は、サブフレーム又はスロット中に含まれるランダムアクセスリソースの数量である。このパラメータは、示される必要がないことがあり、例えば、数量は固定されるか、又はこのパラメータは、プリアンブルフォーマット、連続するサブフレームの数量、若しくは連続するスロットの数量に基づいて取得される。周波数量は、Ｆであり得るし、ここで、Ｆ＝１〜６４であり、周波数におけるランダムアクセスリソースの数量を表す。このパラメータはまた、示される必要がないことがある。例えば、パラメータは、固定的に１である。周波数開始位置は、任意の非負整数であり得るし、周波数でのランダムアクセスリソースが配置される第１のリソースブロックの周波数位置を表す。周波数オフセットは、任意の非負整数であり得るし、ランダムアクセスリソースの特定の周波数位置は、周波数オフセットと周波数開始位置とに基づいて決定され得る。このパラメータはまた、示される必要がないことがある。例えば、オフセットは、固定的に０である。タイミングアドバンスは、任意の非負整数であり得るし、ランダムアクセス送信中のサブフレーム、スロット、ミニスロット、又はＯＦＤＭシンボルに関する時間の進行を表す。このパラメータはまた、示される必要がないことがある。例えば、タイミングアドバンスは、固定的に０である。これらのパラメータの特定の定義については、従来技術を参照されたい。
【００８１】
さらに、ランダムアクセス構成情報は、次のもの、即ち、ダウンリンクデータシンボルの数量、及びアップリンクデータシンボルの数量、のうちの少なくとも１つをさらに含み得る。ＰＲＡＣＨリソース上でのダウンリンクデータシンボルの数量とアップリンクデータシンボルの数量とはそれぞれ、０から１３個のＯＦＤＭシンボルであり得る。このパラメータはまた、示される必要がないことがある。例えば、数量は固定されるか、又はこのパラメータは、プリアンブルフォーマット、連続するサブフレームの数量、若しくは連続するスロットの数量に基づいて取得される。
【００８２】
ランダムアクセス構成情報は、表１から表３に示すように、以下の可能な場合を含み得る。
【００８３】
【表１】
0006947846.tif 000002
【００８４】
【表２】
0006947846.tif 000003
【００８５】
【表３】
0006947846.tif 000004
【００８６】
表１から表３では、サブフレーム、スロット、ミニスロット、ＯＦＤＭシンボル、及びランダムアクセスリソースのインデックスが、それぞれ、サブフレーム、スロット、ミニスロット、ＯＦＤＭシンボル、及びランダムアクセスリソースの番号であり得ることに留意されたい。さらに、ランダムアクセス構成情報は、表１から表３のうちの少なくとも１つ中の情報を含み得る。例えば、ランダムアクセスリソースの数量は、プリアンブルフォーマットと、連続するサブフレームの数量と、連続するスロットの数量と、連続するミニスロットの数量と、連続するＯＦＤＭシンボルの数量とに基づいて取得され得る。従って、情報、即ち、ランダムアクセスリソースの数量は必須でないことがある。サブフレーム番号及び連続するサブフレームの数量と、スロット番号及び連続するスロットの数量と、ミニスロット番号及び連続するミニスロットの数量と、ＯＦＤＭシンボル及び連続するＯＦＤＭシンボルの数量とは、それぞれ、サブフレーム番号セット、スロット番号セット、ミニスロット番号セット及びＯＦＤＭシンボル番号セットによって表され得る。
【００８７】
別の実装では、アップリンク／ダウンリンク構成インデックスパラメータは、ランダムアクセス構成情報にさらに追加され得るし、サブフレーム番号関連の構成パラメータは組である。端末デバイスは、アップリンク／ダウンリンク構成とサブフレーム番号関連の構成とに基づいてシステムフレーム中でのアップリンクサブフレームの位置と及び特定のサブフレーム番号とを決定する必要がある。そのような構成を用いる理由は、アップリンクサブフレームの位置が変化し得ることであり、従って、ランダムアクセス中のアップリンクサブフレームの相対位置を示すためにパラメータを用いることのみが実現可能であり、特定のサブフレーム番号は、アップリンクサブフレーム構成と相対位置とに基づいて決定される。
【００８８】
次いで、ダウンリンク信号パラメータ情報及びダウンリンク信号とランダムアクセスリソースとの間の関連（ＲＡＣＨ関連）について、以下で説明する。
【００８９】
実装では、ダウンリンク信号パラメータ情報は、表４で説明したように、次の情報、即ち、ダウンリンク信号バーストセット中のダウンリンク信号バーストの数量、各ダウンリンク信号バースト中のダウンリンク信号の数量、のうちの少なくとも１つを含む。ダウンリンク信号バーストセット中のダウンリンク信号の総数量は、各ダウンリンク信号バースト中のダウンリンク信号の数量に基づいて取得され得る。
【００９０】
【表４】
0006947846.tif 000005
【００９１】
さらに、実装では、ランダムアクセス構成情報は、次の情報、即ち、ダウンリンク信号とランダムアクセスリソースとの間の対応関係、及び各ダウンリンク信号バーストに関連付けられたランダムアクセスリソースの数量、のうちの少なくとも１つをさらに含む。
【００９２】
別の実装では、構成情報は、次の情報、即ち、ダウンリンク信号とランダムアクセスリソースとの間の対応関係、及び各ダウンリンク信号バーストに関連付けられたランダムアクセスリソースの数量、のうちの少なくとも１つをさらに含む。
【００９３】
さらに別の実装では、ダウンリンク信号構成情報は、次の情報、即ち、ダウンリンク信号とランダムアクセスリソースとの間の対応関係、及び各ダウンリンク信号バーストに関連付けられたランダムアクセスリソースの数量、のうちの少なくとも１つをさらに含む。
【００９４】
ダウンリンク信号バーストｋに関連付けられたランダムアクセスリソースの数量は、ＮＲＯbstkであり、ここで、ｋ＝１，２，…，Ｋである。
【００９５】
さらに、実装では、ダウンリンク信号バーストセット中のいくつかのダウンリンク信号バースト中に含まれるダウンリンク信号の数量は、固定値、例えば、ＮＢＬＫbstk＝１，２，３，４，…，６４であり、これらのダウンリンク信号バースト中に含まれるダウンリンク信号の数量は、ネットワークによって送信される必要がない。別のダウンリンク信号バースト中のダウンリンク信号の数量は、ダウンリンク信号パラメータ情報を用いることによって構成される。
【００９６】
さらに、実装では、ダウンリンク信号パラメータ情報構成に基づいて、ダウンリンク信号バーストセットにおけるダウンリンク信号バーストの数量と各ダウンリンク信号バーストに含まれるダウンリンク信号の数量について、表がサーチされ得る。
【００９７】
さらに、実装では、ダウンリンク信号バーストセット中のいくつかのダウンリンク信号バーストに関連付けられたランダムアクセスリソースの数量は、固定値、例えば、ＮＲＯbstk＝１，２，３，４，…，６４であり、これらのダウンリンク信号バーストに関連付けられたランダムアクセスリソースの数量は、ネットワークによって送信される必要がない。別のダウンリンク信号バーストに関連付けられたランダムアクセスリソースの数量は、ダウンリンク信号パラメータ情報を用いることによって構成される。
【００９８】
さらに、実装では、ダウンリンク信号パラメータ情報構成に基づいて、各ダウンリンク信号バーストに関連付けられたランダムアクセスリソースの数量について、表がサーチされ得る。
【００９９】
さらに、実装では、ランダムアクセス構成情報は、ダウンリンク信号パラメータ情報及び／又はダウンリンク信号とランダムアクセスリソースとの間の関連を含む。
【０１００】
上記のパラメータに基づいて、ダウンリンク信号バーストセットに関連付けられたランダムアクセスリソースの総数量ＮＲＯは、次のように決定されることができる。
【０１０１】
【数１】
0006947846.tif 000006
【０１０２】
さらに、ランダムアクセス構成情報に基づいて、ダウンリンク信号バーストセットに関連付けられたランダムアクセスリソースの総時間長ＴRAも取得され得る（ＴRAは、関連付けられたランダムアクセスリソースに対応する時間期間である）。別の実施では、ＴRAは、２nに５ｍｓを乗算したものであり得るし、ここで、ｎは、任意の非負整数であり、例えば、ｎ＝０，１，２，３，４，５，６，７，８，又は９である。別の実施では、１０ｍｓ又は５ｍｓ内のランダムアクセスリソースの総数量は、ダウンリンク信号バーストセットに関連付けられたランダムアクセスリソースの総リソース数量の整数倍であり、即ち、ＴRA＝５ｍｓ／ｎであり、ここで、ｎは、任意の正の整数である。
【０１０３】
さらに別の実装では、ダウンリンク信号とランダムアクセスリソースとの間の対応関係は、次のパラメータ、即ち、ダウンリンク信号インデックス、ランダムアクセスリソースインデックス、各ダウンリンク信号バースト中のダウンリンク信号の数量、及び各ダウンリンク信号バーストに関連付けられたランダムアクセスリソースの数量、のうちの少なくとも１つに基づいて決定され得る。
【０１０４】
特に、実装では、ダウンリンク信号バーストセット中の全てのダウンリンク信号が番号付けされ、例えば、
【０１０５】
【数２】
0006947846.tif 000007
【０１０６】
であり、ダウンリンク信号バーストセットに関連付けられた全てのランダムアクセスリソースが番号付けされ、例えば、ｒ＝０，１，…，ＮＲＯ−１である。ダウンリンク信号とランダムアクセスリソースとの間の対応関係は、指定されたダウンリンク信号インデックスｉとランダムアクセスリソースインデックスｒとの間の対応関係であり得る。この対応関係は、特に、以下の式（１）に示される。
【０１０７】
【数３】
0006947846.tif 000008
【０１０８】
ランダムアクセスリソースの時間及び周波数位置とプリアンブルとは、それに対応して、論理ダウンリンク信号インデックスとランダムアクセスリソースインデックスとの間の対応関係とランダムアクセスリソースの開始位置情報とに基づいて決定されることができる。
【０１０９】
別の実施では、ランダムアクセスリソースの開始位置は、デフォルトでシステムフレームＳＦＮ中のｍ番目のランダムアクセスリソースであり、ｍは、システム情報を用いて示される。システムフレームは、Ｍｏｄ（ＳＦＮ，ＴRA／１０ｍｓ））＝Ｎを満たし、Ｎは、ＴRA／１０ｍｓよりも小さい任意の非負整数であり得る。別の実施では、ｍは、示される必要がない。例えば、ｍは、固定値であり、例えば、ｍ＝０である。
【０１１０】
ネットワーク側は、端末デバイスに、ダウンリンク信号グループの数量と、各ダウンリンク信号グループ中のダウンリンク信号の数量と、各ダウンリンク信号グループに関連付けられたランダムアクセスリソースの数量（又はダウンリンク信号バーストセット中のダウンリンク信号の総数量）と、ランダムアクセスリソースの開始位置と、ダウンリンク信号にランダムアクセスリソースを関連付けるための方法とを送信する。
【０１１１】
端末デバイス側は、ダウンリンク信号バーストの数量と、各ダウンリンク信号バースト中のダウンリンク信号の数量と、各ダウンリンク信号バーストに関連付けられたランダムアクセスリソースの数量（及び／又はダウンリンク信号バーストセット中のダウンリンク信号の総数量）と、ランダムアクセス構成情報とに基づいてダウンリンク信号バーストセットに関連付けられたランダムアクセスリソースの総数量と各ランダムアクセスリソースに対応する特定の位置とを取得する。
【０１１２】
さらに、端末デバイスは、ランダムアクセスリソースに対応する期間ＴRAと時間期間中の各ランダムアクセスリソースの特定の時間及び周波数位置とをさらに決定し得るし、次いで、ランダムアクセスリソースを関連付けるための方法に従って、ダウンリンク信号のインデックスに基づいて、ダウンリンク信号に関連付けられたランダムアクセスリソースの時間及び周波数位置とプリアンブルとを取得する。
【０１１３】
例えば、図９ａは、例示的なランダムアクセス構成中のランダムアクセスリソースの概略構造図である。システムフレーム中のサブフレーム１、４、及び７はそれぞれ、４つのランダムアクセスリソースを含む。別の例では、ネットワークのランダムアクセスバーストセットは、８つのダウンリンク信号を含む。８つのダウンリンク信号は、２つのダウンリンク信号バーストに分割され、各ダウンリンク信号バーストは、４つのダウンリンク信号を含む。第１のダウンリンク信号バースト中の各ランダムダウンリンク信号は、２つのランダムアクセスリソースに関連付けられ、第２のダウンリンク信号バースト中の各ランダムダウンリンク信号は、１つのランダムアクセスリソースに関連付けられる。ランダムアクセスリソースの開始位置は０であり、論理インデックス間の対応関係を式（１）で説明する。ダウンリンク信号バーストセットに関連付けられたランダムアクセスリソースの時間期間ＴRA＝１０ｍｓは、上記の構成に基づいて取得され得るし、ダウンリンク信号に関連付けられたランダムアクセスリソースの位置の概略図を図９ｂに示す。
【０１１４】
特に、別の実装では、ダウンリンク信号とランダムアクセスリソースとの間の対応関係は、次のパラメータ、即ち、各ダウンリンク信号バーストｋに関連付けられたランダムアクセスリソースｊのインデックスのオフセットΔk,j、及び各ダウンリンク信号バーストに関連付けられたランダムアクセスリソースの数量、に基づいて決定される。特定の対応関係は、式（２）に従って取得され得る。
【０１１５】
【数４】
0006947846.tif 000009
【０１１６】
図９ａに示すランダムアクセス構成中のランダムアクセスリソースでは、式（２）によって表される関連付け方法によれば、オフセットは、Δ0,0＝０、Δ0,1＝４、及びΔ1,0＝０であり、ダウンリンク信号とランダムアクセスリソースとの間の関連の概略図を図１０に示す。
【０１１７】
特に、さらに別の実装では、ダウンリンク信号とランダムアクセスリソースとの間の対応関係は、次のパラメータ、即ち、各ダウンリンク信号バーストｋに関連付けられたランダムアクセスリソースｊのインデックスのオフセットΔk,j、及び各ダウンリンク信号バーストに関連付けられたランダムアクセスリソースの数量、に基づいて決定される。特定の対応関係は、式（３）に従って取得され得る。
ｒ＝ｉ＋Δk,jＫ、０≦ｉ＜ＮＲＯ、０≦ｋ＜Ｋ、０≦ｊ＜ＮＲＯbstk…（３）
【０１１８】
図９ａに示すランダムアクセス構成中のランダムアクセスリソースでは、式（３）によって表される関連付け方法によれば、オフセットは、Δ0,0＝０、Δ0,1＝８、及びΔ1,0＝０であり、ダウンリンク信号とランダムアクセスリソースとの間の関連の概略図を図１１に示す。
【０１１９】
別の例では、図１２ａに、例示的なランダムアクセス構成中のランダムアクセスリソースを示す。システムフレーム中のサブフレーム１及び６はそれぞれ、８つのランダムアクセスリソースを含む。別の例では、ネットワークのランダムアクセスバーストセットは、８つのダウンリンク信号を含み、これは、１つのダウンリンク信号バースト中に含まれる。言い換えれば、１つのダウンリンク信号バーストは、８つのダウンリンク信号を含む。ダウンリンク信号バースト中の各ダウンリンク信号は、２つのランダムアクセスリソースに関連付けられ、ランダムアクセスリソースの開始位置は０である。論理インデックス間の対応関係について、式（４）で説明し、ここで、Δk,jは、オフセットである。オフセットは、システム情報を用いて指定され得るか、又は、固定的に（システム情報を用いて指定される必要がない）値であり得る。例えば、図１２では、Δk,j＝１である。ダウンリンク信号バーストセットに関連付けられたランダムアクセスリソースの時間期間ＴRA＝１０ｍｓは、上記の構成に基づいて取得され得るし、ダウンリンク信号に関連付けられたランダムアクセスリソースの位置を図１２ｂに示す。
【０１２０】
【数５】
0006947846.tif 000010
【０１２１】
別の実装では、ダウンリンク信号のインデックスｉは、ダウンリンク信号バーストのインデックスｋとダウンリンク信号バーストｋ中のダウンリンク信号のインデックスｍとの組合せとして表され得る。言い換えれば、ダウンリンク信号インデックスは、ダウンリンク信号バーストセット中の全てのダウンリンク信号の番号であり得るか、又はダウンリンク信号インデックスは、２つのレベルのインデックス、即ち、ダウンリンク信号バーストのインデックス、及びダウンリンク信号バースト中のダウンリンク信号のインデックス、によって表され得る。
【０１２２】
別の実装では、オフセットは、固定値であり得る。この場合、オフセットは、システム情報を用いて示される必要がない。
【０１２３】
さらに別の実装では、ダウンリンク信号パラメータ情報は、次の情報、即ち、ダウンリンク信号バーストセットに関連付けられたランダムアクセスリソースの総数量、ダウンリンク信号インデックス、ダウンリンク信号に関連付けられたランダムアクセスリソースのインデックス、及びダウンリンク信号に関連付けられたランダムアクセスリソースの数量、のうちの少なくとも１つをさらに含む。ダウンリンク信号パラメータ情報は、特に、表５において説明される。
【０１２４】
【表５】
0006947846.tif 000011
【０１２５】
さらに、ランダムアクセス構成情報に基づいて、ダウンリンク信号バーストセットに関連付けられたランダムアクセスリソースの総時間長ＴRAが取得され得る（ＴRAは、関連付けられたランダムアクセスリソースに対応する時間期間である）。別の実施では、ＴRAは、２nに５ｍｓを乗算したものであり得るし、ここで、ｎは、任意の非負整数であり、例えば、ｎ＝０，１，２，３，４，５，６，７，８，又は９である。別の実施では、１０ｍｓ又は５ｍｓ内のランダムアクセスリソースの総数量は、ダウンリンク信号バーストセットに関連付けられたランダムアクセスリソースの総数量の整数倍である。
【０１２６】
ダウンリンク信号バーストセットに関連付けられた全てのランダムアクセスリソースは番号付けされ、例えば、ｒ＝０，１，…，ＮＲＯ−１である。
【０１２７】
別の実施では、ランダムアクセスリソースの開始位置は、デフォルトでシステムフレームＳＦＮ中のｍ番目のランダムアクセスリソースであり、ｍは、システム情報を用いて示される。システムフレームは、Ｍｏｄ（ＳＦＮ，ＴRA／１０ｍｓ）＝Ｎを満たし、Ｎは、ＴRA／１０ｍｓよりも小さい任意の非負整数であり得る。別の実施では、ｍは、示される必要がない。例えば、ｍは、固定値であり、例えば、ｍ＝０である。
【０１２８】
ネットワークデバイス側は、ダウンリンク信号バーストセット中のダウンリンク信号の総数量と、ダウンリンク信号インデックスと、ダウンリンク信号に対応するランダムアクセスリソースのインデックスと、ランダムアクセスリソースの開始位置とを送信する。
【０１２９】
端末デバイス側は、ダウンリンク信号バーストセットに関連付けられたランダムアクセスリソースの総数量とランダムアクセス構成情報とを受信し、ランダムアクセスリソースに対応する期間ＴRAと、時間期間における各ランダムアクセスリソースの特定の時間及び周波数位置とを決定する。次いで、端末デバイスは、ダウンリンク信号のインデックスと、ダウンリンク信号に対応するランダムアクセスリソースのインデックスと、ランダムアクセスリソースの開始位置とに基づいてダウンリンク信号に関連付けられたランダムアクセスリソースの時間及び周波数位置とプリアンブルとを取得する。
【０１３０】
別の実施では、期間ＴRAは、システム情報を用いて送信され得る。
【０１３１】
さらに、実装では、ランダムアクセス構成情報は、ダウンリンク信号パラメータ情報及び／又はダウンリンク信号とランダムアクセスリソースとの間の関連を含む。
【０１３２】
さらに、実装では、システム情報は、ダウンリンク信号パラメータ情報及び／又はダウンリンク信号とランダムアクセスリソースとの間の関連を含む。
【０１３３】
さらに別の実装では、方法は、以下をさらに含む。端末デバイスは、ネットワークデバイスから、次の情報、即ち、ランダムアクセスプリアンブルのインデックス、ダウンリンク信号のインデックス、ダウンリンク信号バーストセット中のダウンリンク信号に関連付けられたランダムアクセスリソース、ランダムアクセス時間期間（例えば、Ｎ番目の期間ＴRA）、及びダウンリンク信号バーストセット中のダウンリンク信号に関連付けられたランダムアクセスリソースの総数量、のうちの少なくとも１つを受信する（これは、離散ランダムアクセスリソースの数量の観点から説明され、ＴRA方法と同じ効果を達成することができる）。この実装は、非競合モードでのリソース構成方式であり、ネットワークデバイスは、ダウンリンク信号に関連付けられたランダムアクセスリソースを直接指定する。
【０１３４】
さらに別の実装では、ダウンリンク信号は、同期信号ブロック（ＳＳブロック）であり得る。ダウンリンク信号のインデックスは、同期信号ブロックのインデックスであり得る。
【０１３５】
さらに別の実装では、端末デバイスによってランダムアクセスプリアンブルを送信するための送信電力は、次のパラメータ、即ち、試みられたビームの最大数量、端末デバイスによってランダムアクセスプリアンブルを送信する回数、ダウンリンク信号バーストセットに関連付けられたランダムアクセスリソースの時間内で許容される送信の最大数量、のうちの少なくとも１つに関連付けられ、ここで、ランダムアクセスプリアンブルを送信する回数は、プリアンブル送信の最大数量以下である。
【０１３６】
特定の例では、ネットワークデバイスは、ランダムアクセスのために用いられるリソースと、ダウンリンク信号とランダムアクセスリソースとの間の関連とを示す。指示情報に基づいて、端末デバイスは、１つ又は複数のダウンリンク信号を取得し、ダウンリンク信号に関連付けられたランダムアクセスリソースの特定の時間及び周波数位置及びプリアンブルとダウンリンク信号バーストセットに関連付けられたランダムアクセスリソースの総時間長ＴRAとを決定する。ネットワークデバイスは、プリアンブル送信の最大数量ｐｒｅａｍｂｌｅＴｒａｎｓＭａｘと各ダウンリンク信号バーストセットに関連付けられたランダムアクセスリソースの総時間長内で許容される送信の最大数量ｐｒｅａｍｂｌｅＳｅｔＭａｘとをさらに示し、例えば、ｐｒｅａｍｂｌｅＳｅｔＭａｘ＝１，２，３，…，６４である。各ランダムアクセス送信後に、プリアンブル送信カウンタＰＲＥＡＭＢＬＥ＿ＴＲＡＮＳＭＩＳＳＩＯＮ＿ＣＯＵＮＴＥＲは１だけ増加する。プリアンブル送信電力は、プリアンブル送信カウンタとダウンリンク信号バーストセットに関連付けられたランダムアクセスリソースの総時間長内で許容される送信の最大数量ｐｒｅａｍｂｌｅＳｅｔＭａｘとに関連付けられる。例えば、ターゲット送信電力は、以下の通りになり得る。
ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋（ｆｌｏｏｒ（ＰＲＥＡＭＢＬＥ＿ＴＲＡＮＳＭＩＳＳＩＯＮ＿ＣＯＵＮＴＥＲ／ｐｒｅａｍｂｌｅＳｅｔＭａｘ）−１）＊ｐｏｗｅｒＲａｍｐｉｎｇＳｔｅｐ
ここで、ｐｒｅａｍｂｌｅＩｎｉｔｉａｌＲｅｃｅｉｖｅｄＴａｒｇｅｔＰｏｗｅｒは、初期プリアンブル電力を表し、システム情報を用いて指定され、
ＤＥＬＴＡ＿ＰＲＥＡＭＢＬＥは、プリアンブルフォーマットに対応する電力オフセットを表し、プリアンブルフォーマットに基づいて決定され、
ｐｏｗｅｒＲａｍｐｉｎｇＳｔｅｐは、電力ランピングファクタを表し、システム情報を用いて指定される。
【０１３７】
別の実施では、ＰＲＥＡＭＢＬＥ＿ＴＲＡＮＳＭＩＳＳＩＯＮ＿ＣＯＵＮＴＥＲは、ＴRAだけに関連付けられる。例えば、ＰＲＥＡＭＢＬＥ＿ＴＲＡＮＳＭＩＳＳＩＯＮ＿ＣＯＵＮＴＥＲは、ランダムアクセスプリアンブルが送信される第１のＴRAでは１になり、ＰＲＥＡＭＢＬＥ＿ＴＲＡＮＳＭＩＳＳＩＯＮ＿ＣＯＵＮＴＥＲは、ランダムアクセスプリアンブルが送信される第２のＴRAでは２になり、ＰＲＥＡＭＢＬＥ＿ＴＲＡＮＳＭＩＳＳＩＯＮ＿ＣＯＵＮＴＥＲは、ランダムアクセスプリアンブルが送信されるｋ番目のＴRAではｋになる。
【０１３８】
別の特定の例では、送信ビームが受信ビームとは比較的大幅に異なるということを端末デバイス側が知らず、従って、端末デバイスは複数の異なる送信ビームを試みる必要がある。ネットワーク側は、試みられたビームの最大数量ＵＥｂｅａｍＭａｘを指定するか、又は端末デバイス側は、ネットワークデバイスによって指定された試みられたビームの複数の数量を含むＵＥｂｅａｍＭａｘＳｅｔからＵＥｂｅａｍＭａｘを選択する必要がある。例えば、ＵＥｂｅａｍＭａｘＳｅｔ＝｛１，２，３，…，６４｝である。プリアンブル送信電力は、プリアンブル送信カウンタＰＲＥＡＭＢＬＥ＿ＴＲＡＮＳＭＩＳＳＩＯＮ＿ＣＯＵＮＴＥＲとダウンリンク信号バーストセットに関連付けられたランダムアクセスリソースの総時間長内で許容される送信の最大数量ｐｒｅａｍｂｌｅＳｅｔＭａｘと、ＵＥｂｅａｍＭａｘとに関連付けられる。例えば、プリアンブル送信電力は、以下の通りになり得る。
ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋（ｆｌｏｏｒ（ＰＲＥＡＭＢＬＥ＿ＴＲＡＮＳＭＩＳＳＩＯＮ＿ＣＯＵＮＴＥＲ／ｐｒｅａｍｂｌｅＳｅｔＭａｘ／ＵＥｂｅａｍＭａｘ）−１）＊ｐｏｗｅｒＲａｍｐｉｎｇＳｔｅｐ
【０１３９】
さらに別の実装では、端末デバイスは、Ｎ個の異なる送信ビームを試み、Ｎ≧２である。端末デバイスは、最初に、１つの送信ビームを試み、次いで、別の送信ビームに変更する。端末デバイスは、複数のプリアンブル送信カウンタＰＲＥＡＭＢＬＥ＿ＴＲＡＮＳＭＩＳＳＩＯＮ＿ＣＯＵＮＴＥＲ（ｉ）を維持し、ｉ＝１，２，…，Ｎである。ネットワークデバイスはまた、比較的多い数量のビームがあるときに電力ランピングを加速するために送信ビームｉに対応する電力ランピングファクタの重み付け係数ｐｏｗｅｒＲａｍｐｉｎｇＳｃａｌｅ（ｉ）を指定し得るし、ここで、ｐｏｗｅｒＲａｍｐｉｎｇＳｃａｌｅ（ｉ）は、非負実数であり得る。送信ビームｉに対応するプリアンブル送信電力は、プリアンブル送信カウンタＰＲＥＡＭＢＬＥ＿ＴＲＡＮＳＭＩＳＳＩＯＮ＿ＣＯＵＮＴＥＲ（ｉ）と電力ランピングファクタの重み付け係数ｐｏｗｅｒＲａｍｐｉｎｇＳｃａｌｅ（ｉ）とに関連付けられる。例えば、端末デバイスは、２つの送信ビームを有し、ネットワークデバイスは、第２のビームのために電力ランピングファクタの重み付け係数ｐｏｗｅｒＲａｍｐｉｎｇＳｃａｌｅ（２）を指定する。第１のビームの送信電力は、以下の通りである。
ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋（ＰＲＥＡＭＢＬＥ＿ＴＲＡＮＳＭＩＳＳＩＯＮ＿ＣＯＵＮＴＥＲ−１）＊ｐｏｗｅｒＲａｍｐｉｎｇＳｔｅｐ
【０１４０】
第２の送信ビームの送信電力は、以下の通りである。
ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋（（ＰＲＥＡＭＢＬＥ＿ＴＲＡＮＳＭＩＳＳＩＯＮ＿ＣＯＵＮＴＥＲ−１）＊ｐｏｗｅｒＲａｍｐｉｎｇＳｃａｌｅ（２）＊ｐｏｗｅｒＲａｍｐｉｎｇＳｔｅｐ
【０１４１】
送信ビームは、ダウンリンク信号を送信する、例えば、基準信号を送信するために用いられ得る。例えば、基準信号は、チャネル状態情報基準信号（ｃｈａｎｎｅｌ  ｓｔａｔｅ  ｉｎｆｏｒｍａｔｉｏｎ−ｒｅｆｅｒｅｎｃｅ  ｓｉｇｎａｌ、ＣＳＩ−ＲＳ）、復調基準信号（Ｄｅｍｏｄｕｌａｔｉｏｎ  Ｒｅｆｅｒｅｎｃｅ  Ｓｉｇｎａｌ、ＤＭＲＳ）、又は位相追跡基準信号（Ｐｈａｓｅ−Ｔｒａｃｋｉｎｇ  Ｒｅｆｅｒｅｎｃｅ  Ｓｉｇｎａｌ、ＰＴＲＳ）である。
【０１４２】
本発明のこの実施形態において提供されるリソース構成方法によれば、単純なリソース構成解決策がマルチビームネットワークのために提供され、それによって、マルチビームネットワークにおけるダウンリンク信号に関連付けられたランダムアクセスを実施する。
【０１４３】
本発明の実施形態における方法について上記で詳細に説明した。本発明の実施形態における装置を以下に提供する。
【０１４４】
図１３は、本発明の実施形態による、端末デバイスの概略モジュール図である。端末デバイス１０００は、取得ユニット１１とアクセスユニット１２とを含み得る。取得ユニット１１は、構成情報を取得する動作を実行するように構成され、例えば、Ｓ１０１を実行する。アクセスユニット１２は、ネットワークデバイスと通信するように構成され、例えば、Ｓ１０２を実行する。詳細については、方法実施形態における説明を参照されたい。明細書では、詳細を再び説明しない。
【０１４５】
本発明のこの実施形態において提供される端末デバイスによれば、単純なリソース構成解決策がマルチビームネットワークのために提供され、それによって、マルチビームネットワークにおけるダウンリンク信号に関連付けられたランダムアクセスを実施する。
【０１４６】
図１４は、本発明の実施形態による、ネットワークデバイスの概略モジュール図である。ネットワークデバイス２０００は、送信ユニット２１と受信ユニット２２とを含み得る。送信ユニット２１は、Ｓ１０１に対応するために、端末デバイスと共にダウンリンク動作を実行するように構成され、例えば、端末デバイスに構成情報を送信する。受信ユニット２２は、Ｓ１０２に対応するために、端末デバイスと共にアップリンク動作を実行するように構成され、例えば、端末デバイスのアクセス要求を受信する。詳細については、方法実施形態における説明を参照されたい。明細書では、詳細を再び説明しない。
【０１４７】
本発明のこの実施形態において提供されるネットワークデバイスによれば、単純なリソース構成解決策がマルチビームネットワークのために提供され、それによって、マルチビームネットワークにおけるダウンリンク信号に関連付けられたランダムアクセスを実施する。
【０１４８】
本発明の実施形態は、端末デバイスをさらに提供する。端末デバイスは、上記の通信システムにおける端末デバイスであり得るし、端末デバイスは、図１５に示すハードウェアアーキテクチャを有し得る。端末デバイスは、受信機と、送信機と、メモリと、プロセッサとを含み得る。受信機と、送信機と、メモリと、プロセッサとは、バスを通して各々に接続される。送信機は、図１３のアクセスユニット１２若しくは取得ユニット又は送信ユニットによって実装される関係する機能を実装するために用いられ得るし、受信機は、受信ユニットによって実装される関係する機能を実装するために用いられ得る。
【０１４９】
メモリは、限定はしないが、ランダムアクセスメモリ（Ｒａｎｄｏｍ  Ａｃｃｅｓｓ  Ｍｅｍｏｒｙ、ＲＡＭ）、読取り専用メモリ（Ｒｅａｄ−Ｏｎｌｙ  Ｍｅｍｏｒｙ、ＲＯＭ）、消去可能プログラマブル読取り専用メモリ（Ｅｒａｓａｂｌｅ  Ｐｒｏｇｒａｍｍａｂｌｅ  Ｒｅａｄ  Ｏｎｌｙ  Ｍｅｍｏｒｙ、ＥＰＲＯＭ）、又はコンパクトディスク読取り専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）を含む。メモリは、関連する命令とデータとを記憶するように構成される。
【０１５０】
受信機は、データ及び／又は信号を受信するように構成され、送信機は、データ及び／又は信号を送信するように構成される。送信機と受信機とは、独立した構成要素であり得るか、又は統合された構成要素、例えば、トランシーバであり得る。
【０１５１】
プロセッサは、１つ又は複数のプロセッサ含み、例えば、１つ又は複数の中央処理ユニット（Ｃｅｎｔｒａｌ  Ｐｒｏｃｅｓｓｉｎｇ  Ｕｎｉｔ、ＣＰＵ）を含み得る。プロセッサが１つのＣＰＵであるとき、ＣＰＵは、シングルコアのＣＰＵであることもマルチコアのＣＰＵであり得る。
【０１５２】
メモリは、端末デバイスのプログラムコードとデータとを記憶するように構成され、独立した構成要素であり得るか、又はプロセッサに統合され得る。
【０１５３】
構成要素は、実装のためにチップに統合され、例えば、実装のためにベースバンドチップに統合され得る。
【０１５４】
特に、プロセッサは、構成情報を取得する動作を実行するように構成され、例えば、Ｓ１０１を実行し、送信機は、ネットワークデバイスと通信するように構成され、例えば、Ｓ１０２を実行する。
【０１５５】
詳細については、方法実施形態における説明を参照されたい。明細書では、詳細を再び説明しない。
【０１５６】
図１５が端末デバイスの簡略化された設計を示すにすぎないことが理解され得る。実際の適用例では、端末デバイスは、限定はしないが、任意の数量のトランシーバ、プロセッサ、コントローラ、及びメモリを含む別の必要な要素をさらに含み得る。本発明の実施形態を実装することができる全ての端末デバイスが本発明の保護範囲内に入る。
【０１５７】
本発明のこの実施形態において提供される端末デバイスによれば、単純なリソース構成解決策がマルチビームネットワークのために提供され、それによって、マルチビームネットワークにおけるダウンリンク信号に関連付けられたランダムアクセスを実施する。
【０１５８】
本発明の実施形態は、ネットワークデバイスをさらに提供する。ネットワークデバイスは、上記の通信システムにおけるネットワークデバイスであり得るし、ネットワークデバイスは、図１５に示すハードウェアアーキテクチャを有し得る。ネットワークデバイスは、受信機と、送信機と、メモリと、プロセッサとを含み得る。受信機と、送信機と、メモリと、プロセッサとは、バスを通して各々に接続される。受信機は、図１４の受信ユニット２２によって実装される関係する機能を実装するために用いられ得るし、送信機は、送信ユニット２１によって実装される関係する機能を実装するために用いられ得る。
【０１５９】
メモリは、限定はしないが、ＲＡＭ、ＲＯＭ、ＥＰＲＯＭ、又はＣＤ−ＲＯＭを含む。メモリは、関連する命令とデータとを記憶するように構成される。
【０１６０】
受信機は、データ及び／又は信号を受信するように構成され、送信機は、データ及び／又は信号を送信するように構成される。送信機と受信機とは、独立した構成要素であり得るか、又は統合された構成要素、例えば、トランシーバであり得る。
【０１６１】
プロセッサは、１つ又は複数のプロセッサを含み、例えば、１つ又は複数のＣＰＵを含み得る。プロセッサが１つのＣＰＵであるとき、ＣＰＵは、シングルコアのＣＰＵであることもマルチコアのＣＰＵであることもある。
【０１６２】
メモリは、ネットワークデバイスのプログラムコードとデータとを記憶するように構成され、独立した構成要素であり得るか、又はプロセッサに統合され得る。
【０１６３】
構成要素は、実装のためにチップに統合され、例えば、実装のためにベースバンドチップに統合され得る。
【０１６４】
特に、送信機は、Ｓ１０１に対応するために、端末デバイスと共にダウンリンク動作を実行するように構成され、例えば、端末デバイスに構成情報を送信し、受信機は、Ｓ１０２に対応するために、端末デバイスと共にアップリンク動作を実行するように構成され、例えば、端末デバイスのアクセス要求を受信する。詳細については、方法実施形態における説明を参照されたい。明細書では、詳細を再び説明しない。
【０１６５】
図１５がネットワークデバイスの簡略化された設計を示すにすぎないことが理解され得る。実際の適用例では、ネットワークデバイスは、限定はしないが、任意の数量のトランシーバ、プロセッサ、コントローラ、及びメモリを含む別の必要な要素をさらに含み得る。本発明を実装することができる全てのネットワークデバイスが本発明の保護範囲内に入る。
【０１６６】
本発明のこの実施形態において提供されるネットワークデバイスによれば、単純なリソース構成解決策がマルチビームネットワークのために提供され、それによって、マルチビームネットワークにおけるダウンリンク信号に関連付けられたランダムアクセスを実施する。
【０１６７】
本明細書に開示した実施形態を参照しながら説明した例中のユニット及びアルゴリズムステップが電子ハードウェア又はコンピュータソフトウェアと電子ハードウェアとの組合せによって実装され得ることに、当業者は気づき得る。機能がハードウェアによって実行されるのか又はソフトウェアによって実行されるのかは、特定の適用例と技術的解決策の設計制約とに依存する。当業者は、特定の適用例毎に説明した機能を実装するために異なる方法を用いてよいが、実装がこの出願の範囲を越えると見なすべきではない。
【０１６８】
利便性及び簡潔さを容易に得られるように、上記のシステム、装置、及びユニットの詳細な作業処理について、上記の方法実施形態における対応する処理を参照されたいことが当業者によって明らかに理解され得る。ここでは、詳細を再び説明しない。この出願で提供されるいくつかの実施形態では、開示するシステム、装置、及び方法が他の方法で実装され得ることを理解されたい。例えば、説明した装置実施形態は、例にすぎない。例えば、ユニット区分は論理機能区分にすぎず、実際の実装では他の区分であり得る。例えば、複数のユニット又は構成要素が、組み合わされ得るか、若しくは別のシステムに統合され得るし、又はいくつかの特徴は、無視され得るか、若しくは実行されないことがある。さらに、表示される又は説明される相互結合又は直接結合又は通信接続は、いくつかのインターフェースを通して実装され得る。装置又はユニット間での間接的な結合又は通信接続は、電気、機械、又は他の形態で実装され得る。
【０１６９】
別個の部分として説明されるユニットは、物理的に別個であることも、別個でないこともある。ユニットとして表示される部分は、物理ユニットであることも物理ユニットでないこともあり、１つの位置に配置され得るか、又は複数のネットワークユニット上に分散され得る。ユニットの一部又は全部は、実施形態の解決策の目的を達成するために実際の要件に従って選択され得る。さらに、この出願の実施形態における機能ユニットは、１つの処理ユニットに統合され得るか、又はユニットの各々は、物理的に単独で存在し得るか、又は２つ以上のユニットは、１つのユニットに統合される。
【０１７０】
上記の実施形態の全部又は一部は、ソフトウェア、ハードウェア、ファームウェア、又はそれらの任意の組合せを用いることによって実装され得る。ソフトウェアが実施形態を実装するために用いられるとき、実施形態は、コンピュータプログラム製品の形態で完全に又は部分的に実装され得る。コンピュータプログラム製品は、１つ又は複数のコンピュータ命令を含む。コンピュータプログラム命令がコンピュータ上にロードされ、実行されるとき、本発明の実施形態による手順又は機能が全て又は部分的に生成される。コンピュータは、汎用コンピュータ、専用コンピュータ、コンピュータネットワーク、又は別のプログラマブル装置であり得る。コンピュータ命令は、コンピュータ可読記憶媒体中に記憶され得るか、又はコンピュータ可読記憶媒体を用いることによって送信され得る。コンピュータ命令は、ワイヤード（例えば、同軸ケーブル、光ファイバ、又はデジタル加入者回線（ＤＳＬ））又はワイヤレス（例えば、赤外線、無線、又はマイクロ波）の方式でウェブサイト、コンピュータ、サーバ、又はデータセンターから別のウェブサイト、コンピュータ、サーバ、又はデータセンターに送信され得る。コンピュータ可読記憶媒体は、コンピュータによってアクセス可能な任意の利用可能な媒体、或いは、１つ又は複数の利用可能な媒体を統合するサーバ又はデータセンターなどのデータストレージデバイスであり得る。利用可能な媒体は、磁気媒体（例えば、フロッピーディスク、ハードディスク、又は磁気テープ）、光媒体（例えば、ＤＶＤ）、半導体媒体（例えば、ソリッドステートドライブ（Ｓｏｌｉｄ  Ｓｔａｔｅ  Ｄｉｓｋ、ＳＳＤ））などであり得る。
【０１７１】
実施形態における方法の処理の全部又は一部が関連するハードウェアに命令するコンピュータプログラムによって実装され得ることを、当業者は理解し得る。プログラムは、コンピュータ可読記憶媒体中に記憶され得る。プログラムが実行されるとき、実施形態における方法の処理が実行される。上記の記憶媒体は、ＲＯＭ、ランダムアクセスメモリＲＡＭ、磁気ディスク、又は光ディスクなどのプログラムコードを記憶することができる任意の媒体を含む。
【０１７２】
この出願では、「少なくとも１つの」は１つ又は複数を意味し、「複数の」は２つ以上を意味する。「及び／又は」は、関連する対象物間の対応関係を表し、３つの関係が存在し得ることを示す。例えば、Ａ及び／又はＢは、次の３つのケース、即ち、Ａが単独で存在すること、Ｂが単独で存在すること、ＡとＢとの両方が存在すること、を示してよく、ここで、ＡとＢとは、単数又は複数であり得る。文字「／」は、通常、関連する対象物間の「又は」の関係を示す。「以下のうちの少なくとも１つ」又はこれと同様の表現は、以下のうちの１つ又は複数の任意の組合せを含む、以下の任意の組合せを示す。例えば、ａ、ｂ、又はｃのうちの少なくとも１つは、ａ、ｂ、ｃ、ａ−ｂ、ａ−ｃ、ｂ−ｃ、又はａ−ｂ−ｃを示し得るし、ここで、ａ、ｂ、及びｃは、単数又は複数であり得る。
【図１】
0006947846.tif 000012
【図２ａ】
0006947846.tif 000013
【図２ｂ】
0006947846.tif 000014
【図３】
0006947846.tif 000015
【図４】
0006947846.tif 000016
【図５】
0006947846.tif 000017
【図６】
0006947846.tif 000018
【図７】
0006947846.tif 000019
【図８ａ】
0006947846.tif 000020
【図８ｂ】
0006947846.tif 000021
【図９ａ】
0006947846.tif 000022
【図９ｂ】
0006947846.tif 000023
【図１０】
0006947846.tif 000024
【図１１】
0006947846.tif 000025
【図１２ａ】
0006947846.tif 000026
【図１２ｂ】
0006947846.tif 000027
【図１３】
0006947846.tif 000028
【図１４】
0006947846.tif 000029
【図１５】
0006947846.tif 000030